(57)【特許請求の範囲】
【請求項１】
連結ステープルを収納する収納容器と、ステープルを打ち出す打出部と、前記収納容器から打出部まで延びるとともに連結ステープルを搬送するための搬送路と、この搬送路を形成するガイド壁を隔てた位置に配置されるとともにその搬送路に沿って往復移動する送り部材と、この送り部材に取り付けられ前記ガイド壁に形成された開口から先端部が搬送路内へ突出する送爪とを備え、前記送り部材が前進する際に前記送爪によって連結ステープルを打出部に向けて送るカートリッジにおいて、
前記収納容器の蓋を開けた際に、前記送り部材を連結ステープルの搬送方向と逆方向へ移動させる移動手段を設け、
前記送り部材が後方へ移動した際に前記送爪が前記ガイド壁の開口内へ引き込まれることを特徴とするカートリッジ。
【請求項２】
前記移動手段は、リンク機構であることを特徴とする請求項１に記載のカートリッジ。
【請求項３】
前記連結ステープルは、ステープルを連結させて巻いたロールステープルであることを特徴とする請求項１または請求項２に記載のカートリッジ。
【発明の詳細な説明】
【０００１】
【発明の属する技術分野】
この発明は、連結ステープルのロール状に巻いたロールステープルを収納するカートリッジに関する。
【０００２】
【従来の技術】
従来から、連結ステープルをロール状に巻いたロールステープルを収納する収納容器と、ステープルを打ち出す打出部と、前記収納容器から打出部まで延びるとともに連結ステープルを搬送するための搬送路等とを備えたカートリッジが知られている。
【０００３】
係るカートリッジには、前記搬送路を形成する壁面を隔てた位置にスライド部材がその搬送路に沿って往復移動可能に配置され、このスライド部材には送爪が設けられている。送爪は前記壁面に形成された開口からその先端部が搬送路内へ突出しており、スライド部材が前進する際に送爪が連結ステープルを打出部に向けて送るようになっている。
【０００４】
【発明が解決しようとする課題】
ところで、打出部でステープルのジャムが発生した場合、そのステープルを取り除く必要があるが、そのステープルに連結ステープルが連結されたままになっていると、連結ステープルが引き出されてしまう。このため、引き出された連結ステープルを搬送方向と逆方向へ戻す必要があるが、送爪の先端部が壁面の開口から搬送路内へ突出していることにより、引き出された連結ステープルを搬送方向と逆方向へ戻すことができないという問題があった。
【０００５】
この発明は、上記問題点に鑑みてなされたものであり、その目的は、引き出された連結ステープルを搬送方向と逆方向へ戻すことのできるカートリッジを提供することにある。
【０００６】
【課題を解決するための手段】
上記目的を達成するため、連結ステープルを収納する収納容器と、ステープルを打ち出す打出部と、前記収納容器から打出部まで延びるとともに連結ステープルを搬送するための搬送路と、この搬送路を形成するガイド壁を隔てた位置に配置されるとともにその搬送路に沿って往復移動する送り部材と、この送り部材に取り付けられ前記ガイド壁に形成された開口から先端部が搬送路内へ突出する送爪とを備え、前記送り部材が前進する際に前記送爪によって連結ステープルを打出部に向けて送るカートリッジにおいて、
前記収納容器の蓋を開けた際に、前記送り部材を連結ステープルの搬送方向と逆方向へ移動させる移動手段を設け、
前記送り部材が後方へ移動した際に前記送爪が前記ガイド壁の開口内へ引き込まれることを特徴とする。
【０００８】
請求項２の発明は、請求項１のカートリッジであって、前記移動手段は、リンク機構であることを特徴とする。
【０００９】
請求項３の発明は、請求項１または請求項２のカートリッジであって、前記連結ステープルは、ステープルを連結させて巻いたロールステープルであることを特徴とする。
【００１０】
【発明の実施の形態】
以下、この発明に係わるカートリッジの実施の形態を図面に基づいて説明する。
［第１実施形態］
図１において、１０は図示しない電動ホッチキスに着脱自在に装着されるカートリッジである。このカートリッジ１０は、図示しない連結ステープルをロール状に巻いたロールステープル(図示せず)を収納する収納容器１１と、この収納容器１１に開閉可能に取り付けられた蓋１３と、収納容器１１に一体に設けられた搬送部２０とを備えている。
【００１１】
搬送部２０の先端（前部：図１において左端部）には、図示しない電動ホッチキス本体に設けたドライバ１４が進入してステープルを打ち出す打出部２１が設けられている。
【００１２】
搬送部２０には、前後に延びるとともに収納容器１１に固定されたベース部材２２が設けられ、このベース部材２２には前後方向に延びた一対のガイド壁２３,２４が設けられており、このガイド壁２３,２４間が搬送路２５となっている。搬送路２５の一端は打出部２１まで延びており、搬送路２５の後部は収納容器１１内と連通している。
【００１３】
ガイド壁２３の前側と後側とには開口２３Ａ,２３Ｂがそれぞれ形成され、ガイド壁２３とベース部材２２との間には前後に往復移動可能な送り部材３０が配置されている。送り部材３０の前部３０Ｖaには左斜め上方（図１において）に突出した送爪３１Ａが取り付けられ、送り部材３０の後部３０Ｖbには送爪３１Ｂが取り付けられており、この送爪３１Ａ,３１Ｂの先端部がガイド壁２３の開口２３Ａ,２３Ｂから搬送路２５内に突出している。
【００１４】
送り部材３０の先端部（図１において左側）には傾斜したガイド面３２が形成され、ドライバが打出部２１に進入してステープルを打ち出す際に、そのガイド面３２にドライバ１４が当接するようになっている。
【００１５】
送り部材３０は、スプリング３３により前方へ付勢されており、ドライバが打出部２１に進入して送り部材３０のガイド面３２に当接してガイド面３２を押していくことにより、そのスプリング３３の付勢力に抗して後方へ移動していくようになっている。スライド部材３０が後方に移動すると、送爪３１Ａ,３１Ｂの先端部３１Ａa,３１Ｂaはガイド壁２３の開口２３Ａ,２３Ｂの縁に当接してその開口２３Ａ,２３Ｂ内に引き込むようになっている。
【００１６】
そして、ドライバ１４が待機位置へ戻ると、送り部材３０はスプリング３３の付勢力により前方へ移動していく。この前方への移動の際に、送爪３１Ａ,３１Ｂの先端部３１Ａa,３１Ｂaがガイド壁２３の開口２３Ａ,２３Ｂから搬送路２５内に突出して連結ステープルを前方へ送り出していく。
【００１７】
送り部材３０の後部側とベース部材２２との間にスライドプレート３５が前後に往復移動可能に配置されている。スライドプレート３５には、上方（図１において）に突出するとともに送り部材３０の中間部の穴部３０Ａ内に入り込んだ突起３６と、下方に突出するとともにベース部材２２の凹部２２Ａに入り込んだ突起３７とが設けられている。突起３６と送り部材３０の凹部３０Ａの端面３０Ａaとの間には所定距離のクリアランスが設定されている。また、ベース部材２２の凹部２２Ａとスライドプレート３５の突起３７との間にはスプリング３８が配置され、このスプリング３８によりスライドプレート３５は後方（図１において右方）へ付勢されている。
【００１８】
スプリング３８は、蓋１３を開成する方向に付勢するものであり、この付勢により蓋１３を開けた状態に保ち、新たなロールステープルを補給する際にその補給がし易いようにするものである。また、蓋１３を閉じている際の蓋１３のガタツキを防止するものである。
【００１９】
スライドプレート３５の後部には凹状の軸受３９を有する軸受部４０が形成されている。
【００２０】
ベース部材２２の後部には、図２に示すようにリンク機構（移動手段）５０が設けられている。このリンク機構５０は、ベース部材２２の後端に設けた軸５１に回動自在に取り付けたリンク部材５２と、このリンク部材５２に設けた軸５３に回動自在に枢着した連結部材５４とを有している。
【００２１】
リンク部材５２には軸５５が設けられており、この軸５５がスライドプレート３５の軸受部４０の軸受３９に回動可能に係合されている。軸５５はベース部材２２の軸５１の上方（図１において）、かつ、左側に位置している。軸５３はその軸５１の上方かつ右側に位置している。
【００２２】
連結部材５４は上下（図１および図２において）に延びているとともにその上部は蓋１３の後部に設けた軸５６に回動自在に枢支され、軸５６は蓋１３を収納容器１１に回動自在に枢着した軸５７の上方かつ左側に位置している。蓋１３は軸５７を中心にして時計回りに回動することにより開成するようなっている。
【００２３】
図３および図４に示すように蓋１３を開けると、蓋１３は軸５７を中心にして時計回りに回動していくとともに、連結部材５４がその回動とともに下方に移動していく。この連結部材５４の下方への移動により、リンク部材５２がベース部材２２の軸５１を中心にして時計回りに回動していく。リンク部材５２の時計回りの回動とともにリンク部材５２の軸５５が後方へ移動していき、スライドプレート３５が後方に移動される。
【００２４】
スライドプレート３５が所定距離後方へ移動すると、スライドプレート３５の突起３６が送り部材３０の凹部３０Ａの端面３０Ａaに当接する。そして、さらにスライドプレート３５が後方へ移動すると、送り部材３０がスライドプレート３５とともに後方へ移動していく。
【００２５】
送り部材３０の後方への移動により、送り部材３０の送爪３１Ａ,３１Ｂがガイド壁２３の開口２３Ａ,２３Ｂの右側の縁に当接して、送爪３１Ａ,３１Ｂがさらに前方へ傾斜していき、送爪３１Ａ,３１Ｂの先端部がガイド壁２３の開口２３Ａ,２３Ｂ内に引き込まれる。
【００２６】
このように、蓋１３を開成すると、送爪３１Ａ,３１Ｂの先端部がガイド壁２３の開口２３Ａ,２３Ｂ内に引き込まれるので、連結ステープルと送爪３１Ａ,３１Ｂとの係合を解除することができ、ジャム時の際、引き出された連結ステープルを搬送方向と逆方向へ戻すことができる。
【００２７】
図５に示すカートリッジ１００は、収納容器１１を搬送路２５の下側（図５において）に設けたものである。
【００２８】
このカートリッジ１００は、スライドプレート１０１の後部側に孔１０１Ａを設け、この孔１０１Ａを介して収納容器１１内の連結ステープル(図示せず)を搬送路２５へ送り出すようにしたものである。
【００２９】
図６に示すカートリッジ１１０は、収納容器１１を搬送路２５の下側（図５において）に設けるとともに、ドライバ１４を下側から上方へ打ち出すようにしたものである。
【００３０】
このカートリッジ１１０は、送り部材３０の先端に搬送路２５の上に配置したガイド部１１１を設け、このガイド部１１１に傾斜したガイド面３２を設けたものである。
［第２実施形態］
図７は第２実施形態を示したカートリッジ１２０である。このカートリッジ１２０は、連結部材５４の替わりにワイヤ１２１を用いてスライドプレート３５を移動させるようにしたものである。
【００３１】
図７において、１２２は蓋１３を軸支した軸５６に取り付けられた巻取ローラであり、この巻取コーラ１２２は蓋１３に固定されており、蓋１３の開閉とともに軸５６回りに回動するようになっている。この巻取コーラ１２２にはワイヤ１２１の一端が固定され、ワイヤ１２１の他端はリンク部材５２の一端に固定されている。１２３は収容容器１１に取り付けられたローラである。
【００３２】
蓋１３が開成されると巻取ローラ１２２が時計回りに回動し、この回動によりワイヤ１２１は緩むのでスライドプレート３５はスプリング３８の付勢力により後方へ移動する。
【００３３】
蓋１３が閉じられると巻取ローラ１２２が反時計回りに回動してワイヤ１２１を巻取っていくので、リンク部材５２は蓋１３の閉成とともに軸５１を中心にして反時計回りに回動していき、リンク部材５２の反時計回りの回動によりスライドプレート３５はスプリング３８に抗して前方へ移動される。
【００３４】
【発明の効果】
以上説明したように、この発明によれば、ジャム時の際、引き出された連結ステープルを搬送方向と逆方向へ戻すことができる。
【図面の簡単な説明】
【図１】この発明に係わるカートリッジの構成を示した断面図である。
【図２】図１に示すカートリッジの部分拡大断面図である。
【図３】蓋を開けた状態を示したカートリッジの断面図である。
【図４】図３に示すカートリッジの部分拡大断面図である。
【図５】他の例のカートリッジを示した説明図である。
【図６】別な他の例のカートリッジを示した説明図である。
【図７】第２実施形態のカートリッジを示した説明図である。
【符号の説明】
１１        収納容器
１３        蓋
２１        打出部
２３        ガイド壁
２３Ａ      開口
２３Ｂ      開口
２４        ガイド壁
２５        搬送路
３０        送り部材
３１Ａ      送爪
３１Ｂ      送爪
５０        リンク機構（移動手段）
【図１】
0004120225.tif 000002
【図２】
0004120225.tif 000003
【図３】
0004120225.tif 000004
【図４】
0004120225.tif 000005
【図５】
0004120225.tif 000006
【図６】
0004120225.tif 000007
【図７】
0004120225.tif 000008